(57)【要約】    【課題】  撮像レンズ系の撮像視野を確認するためのファインダにおける結像面およびその近傍への塵埃等の侵入を効果的に抑制して、ファインダ結像面における画質の劣化を防止する。    【解決手段】  ファインダ装置は、複数のレンズ成分を含むファインダ光学系を内包するファインダ枠１４が、円弧状湾曲カム板１６をスライド可能に支持している。撮影レンズ系の鏡筒ＬＢの外周部に沿わせた円弧状湾曲カム板１６とファインダ枠１４とで、結像面およびその近傍のレンズ部分を、ユニット組み段階でほぼ密閉している。【選択図】    図１
2005084392.tif 000002
【特許請求の範囲】
【請求項１】
ズーミング機能を有する撮像レンズ系の撮像視野を確認するために、複数のレンズ成分を含むファインダ光学系を有し、前記複数のレンズ成分のうちの少なくとも一つのレンズ成分を、前記撮像レンズ系のズーミングに関連して、光軸方向に沿って移動させることによってズーミングするファインダ装置において、
前記撮像レンズ系を保持収容し且つズーミングさせる鏡筒の外周に沿って円弧状に湾曲形成され、円弧に沿うスライド動作によって、前記ファインダ装置の前記レンズ成分の少なくとも一部に前記ズーミングのための移動を生じさせるスライド式の円弧状湾曲カム板と、
前記鏡筒と連動して前記円弧状湾曲カム板を駆動する駆動源と、
前記ファインダ光学系を収容保持し且つ前記円弧状湾曲カム板を円弧に沿ってスライド移動可能に支持案内するファインダ枠とを備えるとともに、
前記ファインダ枠と前記鏡筒に沿う前記円弧状湾曲カム板とで、前記ファインダ光学系をほぼ密閉状態として構成することを特徴とするファインダ装置。
【請求項２】
前記円弧状湾曲カム板の円弧の中心と前記鏡筒の光軸がほぼ同一であることを特徴とする請求項１に記載のファインダ装置。
【請求項３】
前記円弧状湾曲カム板に形成されているカムが、有底溝状カムであることを特徴とする請求項１または請求項２に記載のファインダ装置。
【請求項４】
前記円弧状湾曲カム板が、撮像可能状態でのみ前記鏡筒と連動することを特徴とする請求項１〜請求項３のいずれか１項に記載のファインダ装置。
【請求項５】
前記円弧状湾曲カム板を前記鏡筒の光軸周りの方向に付勢する付勢部材をさらに有することを特徴とする請求項１〜請求項４のいずれか１項に記載のファインダ装置。
【請求項６】
前記付勢部材が、前記円弧状湾曲カム板を短焦点側に付勢する部材であることを特徴とする請求項５に記載のファインダ装置。
【請求項７】
前記円弧状湾曲カム板が、前記鏡筒と係合して連動し、且つ前記円弧状湾曲カム板の前記鏡筒との係合部から遠い側の端縁近傍に前記付勢部材が取着されていることを特徴とする請求項５または請求項６に記載のファインダ装置。
【請求項８】
前記ファインダ枠が、前記円弧状湾曲カム板と同軸の湾曲面と軸方向の前後少なくとも１対の係合部とで、前記円弧状湾曲カム板をスライド可能に支持していることを特徴とする請求項１〜請求項７のいずれか１項に記載のファインダ装置。
【請求項９】
前記ファインダ枠が、前記ファインダ光学系の前記円弧状湾曲カム板に面する側をほぼ覆う蓋部材を含むことを特徴とする請求項１〜請求項８のいずれか１項に記載のファインダ装置。
【請求項１０】
前記ファインダ枠の前記蓋部材から遠い側の側部に、前記ファインダ光学系の前記移動するレンズ成分の回転規制部が設けられていることを特徴とする請求項９に記載のファインダ装置。
【請求項１１】
前記ファインダ枠および前記蓋部材の少なくとも一方に、前記円弧状湾曲カム板のカム面に付着した無用物を排除するための部材が設けられていることを特徴とする請求項１〜請求項１０のいずれか１項に記載のファインダ装置。
【請求項１２】
前記複数のレンズ成分を含むファインダ光学系の結像面が、正立プリズムの射出面上、入射面上、射出面の近傍および入射面の近傍のうちのいずれかに設定されていることを特徴とする請求項１〜請求項１１のいずれか１項に記載のファインダ装置。
【請求項１３】
前記正立プリズムの射出面上および入射面上のいずれかに導電材料からなる視野枠が設けられていることを特徴とする請求項１２に記載のファインダ装置。
【請求項１４】
前記視野枠には、前記ファインダ枠に設けられた導電体の一端が圧接されており、該導電体の他端が、共通電位に接続されていることを特徴とする請求項１３に記載のファインダ装置。
【請求項１５】
ズーミング機能を有する撮像レンズ系を保持収容し、且つ当該撮像レンズ系の撮像視野を確認するために請求項１〜請求項１４のいずれか１項に記載のファインダ装置を具備してなることを特徴とするズームレンズ鏡筒。
【請求項１６】
被写体を撮影するために、撮像レンズ系を含む請求項１５のズームレンズ鏡筒を具備してなることを特徴とするカメラ。
【発明の詳細な説明】
【技術分野】
【０００１】
本発明は、ビデオカメラおよびディジタルスティルカメラ等に代表されるカメラ、ならびに双眼鏡および望遠鏡等の光学機器に用いられ、ズーミング機能を有する撮像レンズ系に連動してズーミングするファインダ装置において、ファインダ視野内への塵埃等の無用物の侵入に対処し光学性能の向上を図ったファインダ装置、そのようなファインダ装置を備える撮像用のズームレンズ鏡筒およびそのようなズームレンズ鏡筒を備えるカメラに関するものである。
【背景技術】
【０００２】
カメラの撮影レンズ系のような撮像レンズ系の撮像視野を確認するための光学式ファインダの一つとして実像式ファインダが用いられている。この種の実像式ファインダは、対物レンズによって結像された被写体像を接眼レンズを通して拡大して観察する構成となっている。この場合、対物レンズによって結像される被写体像は倒立像であるため、ポロプリズム等の正立プリズムを用いて正立像として接眼レンズで観察する。結像面近傍には視野枠が設けられており、ファインダの観察像において撮影範囲を視認でできるようにしている。
すなわち、従来の一般的な実像式ファインダは、対物レンズによって結像される被写体の倒立像を、正立プリズムの射出面または入射面近傍に結像するように設定し、この射出面または入射面に、視野枠、ＡＦ（オートフォーカス）のターゲットマークおよびパララックス補正マーク等を刻印あるいは蒸着にて形成するか、もしくはこれら視野枠、ターゲットマークおよびパララックス補正マーク等を表示形成したシート部材を添設するかして、これら視野枠、ターゲットマークおよびパララックス補正マーク等を被写体像と共に接眼レンズによって観察するようにしている。また、ターゲットマーク等を液晶表示させる液晶面で、上述と同様の被写体像の結像面を形成する構成とした実像式ファインダも知られている。
【０００３】
しかしながら、上述したように、実像式ファインダの多くは、正立プリズムの射出面または入射面の近傍に結像面を設定し、このプリズムの射出面または入射面に、視野枠を刻印あるいは蒸着にて形成するか、あるいは視野枠を形成したシート部材を取り付けるかしている。このため対物レンズの結像面近傍であるプリズムの射出面または入射面に塵埃等が付着すると、接眼レンズを通して被写体像を観察したときに塵埃等も拡大されて観察されてしまい、ファインダ観察像を著しく悪化させ、ひいてはファインダ自体の品質を著しく低下させてしまうという問題があった。
これに対する対策としては、対物レンズの結像面を正立プリズムの射出面あるいは入射面から離間した位置に設定し、正立プリズムの射出面あるいは入射面に付着した塵埃等がボケるようにして、目立たないようにすることが考えられる。しかし、このようにした場合には、ターゲットマーク等のような結像面に表示すべきマークを空間に配置しなければならなくなり、これらのマークを表示することができないという問題がある。このような問題を解決するために、ターゲットマーク等のマークを表示して、しかも正立プリズムの射出面あるいは入射面に付着した塵埃等を目立たなくしたり、結像面への塵埃等の付着を防止したりする方法が数多く提案されている。例えば、特許文献１、特許文献２および特許文献３等を参照されたい。
【０００４】
特許文献１では、対物レンズによる結像面を、正立プリズムの射出面および入射面から離間した位置に形成させ、射出面または入射面に付着した塵埃等が目立たないようにしている。さらに、結像面の位置に視野枠を配置するとともに、視野枠の位置でターゲットマーク等のマークの虚像をアルバタ式で結ばせるアルバタ式表示手段を設けている。しかしながら、このような構成では、ターゲットマーク等のマークの表示のためにアルバタ式の光学系を追加しなければならず、コストアップに繋がってしまう。
特許文献２では、結像面を内包する反射プリズムを用いることによって結像面に塵埃等が付着しない方法を提案している。しかしながら、このような構成では、結像面を内包する反射プリズムを追加しなければならず、やはりコストアップに繋がってしまう。また、この場合、結像面に視野枠を形成するために、２回結像する光学系を構成するか、それに代えて反射プリズムに視野枠を埋め込む構成とするかするようにしている。
特許文献３では、結像面を内包する正立プリズムを用い、この正立プリズムの内部に視野枠をインサート成形することで、結像面近傍に塵埃等が付着することなく、しかも視野枠も良好に観察し得る方法を提案している。しかしながら、インサート成形は、一般に、非常にコストがかかり、さらに視野枠等の変更にも手間暇がかかってしまうことになってしまう。
【０００５】
【特許文献１】特開平９−１１３９６２号公報
【０００６】
【特許文献２】特開平８−２２０６００号公報
【特許文献３】特開平２００２−１２２９０４号公報
【発明の開示】
【発明が解決しようとする課題】
【０００７】
本発明は、上述した事情に鑑みてなされたもので、ズーミング機能を有する撮像レンズ系の撮像視野を確認するためのファインダにおける結像面およびその近傍への塵埃等の侵入を効果的に抑制して、ファインダ結像面における画質の劣化を防止し得るファインダ装置、ズームレンズ鏡筒およびカメラを提供することを目的としている。
すなわち、本発明の請求項１の目的は、特に、ファインダにおける結像面およびその近傍をほぼ密閉し、塵埃等の侵入を効果的に抑制して、ファインダ画質を向上し得るファインダ装置を提供することにある。
また、本発明の請求項２の目的は、特に、結像面およびその近傍をほぼ密閉する構成におけるスペース効率を向上させることを可能とするファインダ装置を提供することにある。
本発明の請求項３の目的は、特に、
請求項３に記載の発明は、カム板を用いてほぼ密閉状態を達成し得るファインダ装置を提供することにある。
本発明の請求項４の目的は、特に、カム板の移動量を小さくして、スペース効率を一層向上し得るファインダ装置を提供することにある。
【０００８】
本発明の請求項５の目的は、特に、撮影可能状態でのズーミングに円滑に追従させることを可能とするファインダ装置を提供することにある。
本発明の請求項６の目的は、特に、撮影レンズ系の鏡筒の、例えば短焦点位置から収納位置までの間などの撮影不能状態における鏡胴の動作中に、カム板を不作動とすることを可能とするファインダ装置を提供することにある。
本発明の請求項７の目的は、特に、カム板の作動をより一層円滑にすることを可能とするファインダ装置を提供することにある。
本発明の請求項８の目的は、特に、カム板の支持部を少なくして、カム板およびそれを支持する部品の形状誤差によるカム板の動作不良を抑制し得るファインダ装置を提供することにある。
本発明の請求項９の目的は、特に、ファインダ枠を開口部を持つ枠体とその開口部をほぼ覆う蓋部材とで構成することによって、部品の成形および組み付けをさらに容易にすることを可能とするファインダ装置を提供することにある。
本発明の請求項１０の目的は、特に、ファインダ枠の開口部の反対側に回転規制部を配置することによって、組み立てを一層容易にすることを可能とするファインダ装置を提供することにある。
【０００９】
本発明の請求項１１の目的は、特に、ほぼ密閉構造内への塵埃等を侵入部近傍にて効果的に排除し、侵入を抑制することを可能とするファインダ装置を提供することにある。
本発明の請求項１２の目的は、特に、
請求項１２に記載の発明は、ファインダ像の結像面に対する視野枠の保持またはＡＦターゲットマーク等のマークの形成等を容易になし得るファインダ装置を提供することにある。
本発明の請求項１３の目的は、特に、正立プリズムに帯電する静電気を視野枠で吸収させ、該プリズムの射出面または入射面に塵埃等が付着することを効果的に防止し得るファインダ装置を提供することにある。
本発明の請求項１４の目的は、特に、視野枠に溜まった静電気を共通電位に逃がし、正立プリズムの静電気を半永久的に除去し、該プリズムへ塵埃等が付着することを一層効果的に防止し得るファインダ装置を提供することにある。
さらに、本発明の請求項１５の目的は、特に、ズーミング機能を有する撮像レンズ系を保持収容し、且つ当該撮像レンズ系の撮像視野を確認するためのファインダにおける結像面およびその近傍への塵埃等の侵入を効果的に抑制して、ファインダ結像面における画質の劣化を防止し得るズームレンズ鏡筒を提供することにある。
また、本発明の請求項１６の目的は、特に、ズーミング機能を有する撮像レンズ系の撮像視野を確認するためのファインダにおける結像面およびその近傍への塵埃等の侵入を効果的に抑制して、ファインダ結像面における画質の劣化を防止し得るカメラを提供することにある。
【課題を解決するための手段】
【００１０】
請求項１に記載した本発明に係るファインダ装置は、上述した目的を達成するために、
ズーミング機能を有する撮像レンズ系の撮像視野を確認するために、複数のレンズ成分を含むファインダ光学系を有し、前記複数のレンズ成分のうちの少なくとも一つのレンズ成分を、前記撮像レンズ系のズーミングに関連して、光軸方向に沿って移動させることによってズーミングするファインダ装置において、
前記撮像レンズ系を保持収容し且つズーミングさせる鏡筒の外周に沿って円弧状に湾曲形成され、円弧に沿うスライド動作によって、前記ファインダ装置の前記レンズ成分の少なくとも一部に前記ズーミングのための移動を生じさせるスライド式の円弧状湾曲カム板と、
前記鏡筒と連動して前記円弧状湾曲カム板を駆動する駆動源と、
前記ファインダ光学系を収容保持し且つ前記円弧状湾曲カム板を円弧に沿ってスライド移動可能に支持案内するファインダ枠とを備えるとともに、
前記ファインダ枠と前記鏡筒に沿う前記円弧状湾曲カム板とで、前記ファインダ光学系をほぼ密閉状態として構成することを特徴としている。
【００１１】
請求項２に記載した本発明に係るファインダ装置は、請求項１のファインダ装置であって、前記円弧状湾曲カム板の円弧の中心と前記鏡筒の光軸がほぼ同一であることを特徴としている。
請求項３に記載した本発明に係るファインダ装置は、請求項１または請求項２のファインダ装置であって、前記円弧状湾曲カム板に形成されているカムが、有底溝状カムであることを特徴としている。
請求項４に記載した本発明に係るファインダ装置は、請求項１〜請求項３のいずれか１項のファインダ装置であって、前記円弧状湾曲カム板が、撮像可能状態でのみ前記鏡筒と連動することを特徴としている。
請求項５に記載した本発明に係るファインダ装置は、請求項１〜請求項４のいずれか１項のファインダ装置であって、前記円弧状湾曲カム板を前記鏡筒の光軸周りの方向に付勢する付勢部材をさらに有することを特徴としている。
請求項６に記載した本発明に係るファインダ装置は、請求項５のファインダ装置であって、前記付勢部材が、前記円弧状湾曲カム板を短焦点側に付勢する部材であることを特徴としている。
【００１２】
請求項７に記載した本発明に係るファインダ装置は、請求項５または請求項６のファインダ装置であって、前記円弧状湾曲カム板が、前記鏡筒と係合して連動し、且つ前記円弧状湾曲カム板の前記鏡筒との係合部から遠い側の端縁近傍に前記付勢部材が取着されていることを特徴としている。
請求項８に記載した本発明に係るファインダ装置は、請求項１〜請求項７のいずれか１項のファインダ装置であって、前記ファインダ枠が、前記円弧状湾曲カム板と同軸の湾曲面と軸方向の前後少なくとも１対の係合部とで、前記円弧状湾曲カム板をスライド可能に支持していることを特徴としている。
請求項９に記載した本発明に係るファインダ装置は、請求項１〜請求項８のいずれか１項のファインダ装置であって、前記ファインダ枠が、前記ファインダ光学系の前記円弧状湾曲カム板に面する側をほぼ覆う蓋部材を含むことを特徴としている。
請求項１０に記載した本発明に係るファインダ装置は、請求項９のファインダ装置であって、前記ファインダ枠の前記蓋部材から遠い側の側部に、前記ファインダ光学系の前記移動するレンズ成分の回転規制部が設けられていることを特徴としている。
請求項１１に記載した本発明に係るファインダ装置は、請求項１〜請求項１０のいずれか１項のファインダ装置であって、前記ファインダ枠および前記蓋部材の少なくとも一方に、前記円弧状湾曲カム板のカム面に付着した無用物を排除するための部材が設けられていることを特徴としている。
【００１３】
請求項１２に記載した本発明に係るファインダ装置は、請求項１〜請求項１１のいずれか１項のファインダ装置であって、前記複数のレンズ成分を含むファインダ光学系の結像面が、正立プリズムの射出面上、入射面上、射出面の近傍および入射面の近傍のうちのいずれかに設定されていることを特徴としている。
請求項１３に記載した本発明に係るファインダ装置は、請求項１２のファインダ装置であって、前記正立プリズムの射出面上および入射面上のいずれかに導電材料からなる視野枠が設けられていることを特徴としている。
請求項１４に記載した本発明に係るファインダ装置は、請求項１３のファインダ装置であって、前記視野枠には、前記ファインダ枠に設けられた導電体の一端が圧接されており、該導電体の他端が、共通電位に接続されていることを特徴としている。
請求項１５に記載した本発明に係るズームレンズ鏡筒は、ズーミング機能を有する撮像レンズ系を保持収容し、且つ当該撮像レンズ系の撮像視野を確認するために請求項１〜請求項１４のいずれか１項のファインダ装置を具備することを特徴としている。
請求項１６に記載した本発明に係るカメラは、被写体を撮影するために、撮像レンズ系を含む請求項１５のズームレンズ鏡筒を具備することを特徴としている。
［作用］
【００１４】
すなわち、本発明の請求項１によるファインダ装置は、複数のレンズ成分を含むファインダ光学系を内包し且つ円弧状湾曲カム板をスライド可能に支持するファインダ枠を設けている。
このような構成により、撮影レンズ系の鏡筒の外周部に沿わせた円弧状湾曲カム板とファインダ枠とで、結像面およびその近傍のレンズ部分を、ユニット組み段階でほぼ密閉し、塵埃等の侵入を阻むことができる。
また、本発明の請求項２によるファインダ装置は、前記円弧状湾曲カム板の湾曲円弧の中心を前記撮影レンズ系の鏡筒の光軸にほぼ一致させている。
このような構成により、結像面およびその近傍をほぼ密閉する構成における占有スペースを最小限とすることができ、スペース効率を向上させることができる。
本発明の請求項３によるファインダ装置は、前記円弧状湾曲カム板に形成されているカムを有底カムとしている。
このような構成により、前記円弧状湾曲カム板のカム部を開口させることがなくなり、この円弧状湾曲カム板とファインダ枠とによる結像面およびその近傍のレンズ部分を容易にほぼ密閉状態に保つことができる。
【００１５】
本発明の請求項４によるファインダ装置は、前記円弧状湾曲カム板を撮影可能状態でのみ前記撮影レンズ系の鏡筒と連動させることにより、前記円弧状湾曲カム板の光軸周りの動作回転角、すなわち動作ストロークを小さくし、スペース効率を一層向上させることができる。
本発明の請求項５によるファインダ装置は、前記円弧状湾曲カム板を前記鏡筒の光軸周りの方向に付勢する付勢部材を設けている。
このような構成により、撮影可能状態でのズーミングに円滑に追従させることができる。
本発明の請求項６によるファインダ装置は、前記円弧状湾曲カム板を付勢部材により短焦点側に付勢するようにしている。
このような構成により、前記撮影レンズ系の鏡筒の撮影不能状態、例えば短焦点位置から収納位置までの間、において前記鏡筒が動作している間でも前記円弧状湾曲カム板の動作を停止させることができる。
本発明の請求項７によるファインダ装置は、前記円弧状湾曲カム板と前記撮影レンズ系の鏡筒との連係動作のための係合部を、前記円弧状湾曲カム板における前記付勢部材の取り付け位置から遠い側に配置している。
このような構成により、前記円弧状湾曲カム板の光軸周りの回転作動を一層スムーズに行わせることができる。
【００１６】
本発明の請求項８によるファインダ装置は、前記円弧状湾曲カム板と同軸の湾曲面と軸方向の前後少なくとも１対の係合部とで、前記円弧状湾曲カム板を前記ファインダ枠にスライド可能に支持させている。
このような構成により、前記円弧状湾曲カム板の支持部を少なくして、前記ファインダ枠と円弧状湾曲カム板の部品の形状誤差によるスライド不良の発生を低減することができる。
本発明の請求項９によるファインダ装置は、前記ファインダ枠が、前記ファインダ光学系の前記円弧状湾曲カム板に面する側をほぼ覆う蓋部材を含んでいる。
このような構成により、前記蓋部材によってほぼ閉塞される開口部を前記ファインダ枠に形成することができ、部品の成形および組み付けを一層容易にすることができる。
本発明の請求項１０によるファインダ装置は、前記ファインダ枠の蓋部材から遠い側の側部に、前記ファインダ光学系のレンズ成分の回転規制部を設けている。
このような構成により、前記回転規制部と前記蓋部材およびその近傍の構成との干渉が防止され、組み立てを容易にすることができる。
【００１７】
本発明の請求項１１によるファインダ装置は、前記円弧状湾曲カム板がスライド動作するために全面を完全に密閉することができずに、一部外面に露出する部分があるため、前記ファインダ枠および前記蓋部材の少なくとも一方に、前記円弧状湾曲カム板のカム面に付着する無用物を排除するための部材を設けている。
このような構成により、スライド動作による移動の直前に、外面から塵埃等の無用物を排除し、該無用物のほぼ密閉構造内への侵入を防止することができる。
本発明の請求項１２によるファインダ装置は、ファインダの結像面を正立プリズムの射出面または入射面またはそれらの近傍に設定する。
このような構成により、視野枠の保持およびＡＦターゲットマーク等のマークの形成等を容易にすることができる。
本発明の請求項１３によるファインダ装置は、前記正立プリズムの射出面または入射面上に金属等の導電材料からなる視野枠を設ける。
このような構成により、正立プリズム上に帯電する静電気を視野枠で吸収させて、プリズムの射出面または入射面上に静電気により塵埃等が付着することを防止する。
【００１８】
本発明の請求項１４によるファインダ装置は、前記ファインダ枠に設けられた導電体の一端が前記導電材料からなる視野枠に圧接され、該導電体の他端が、共通電位に接続されている。
このような構成により、視野枠に溜まった静電気を共通電位に逃がすことにより半永久的に正立プリズム上の静電気を除去することができ、静電気により塵埃等が付着するのを防止することができる。
本発明の請求項１５によるズームレンズ鏡筒は、ズーミング機能を有する撮像レンズ系を保持収容し、且つ当該撮像レンズ系の撮像視野を確認するために請求項１〜請求項１４のいずれか１項のファインダ装置を具備している。
このような構成により、ズーミング機能を有する撮像レンズ系を保持収容するズームレンズ鏡筒の撮像視野を確認するためのファインダにおける結像面およびその近傍への塵埃等の侵入を効果的に抑制し、ファインダ結像面における画質の劣化を防止することができる。
本発明の請求項１６によるカメラは、被写体を撮影するために、撮像レンズ系を含む請求項１５のズームレンズ鏡筒を具備している。
このような構成により、撮像レンズ系の撮像視野を確認するためのファインダにおける結像面およびその近傍への塵埃等の侵入を効果的に抑制して、ファインダ結像面における画質の劣化を防止することができる。
【発明の効果】
【００１９】
本発明によれば、ズーミング機能を有する撮像レンズ系の撮像視野を確認するためのファインダにおける結像面およびその近傍への塵埃等の侵入を効果的に抑制して、ファインダ結像面における画質の劣化を防止し得るファインダ装置、ズームレンズ鏡筒およびカメラを提供することができる。
すなわち本発明の請求項１のファインダ装置によれば、ズーミング機能を有する撮像レンズ系の撮像視野を確認するために、複数のレンズ成分を含むファインダ光学系を有し、前記複数のレンズ成分のうちの少なくとも一つのレンズ成分を、前記撮像レンズ系のズーミングに関連して、光軸方向に沿って移動させることによってズーミングするファインダ装置において、前記撮像レンズ系を保持収容し且つズーミングさせる鏡筒の外周に沿って円弧状に湾曲形成され、円弧に沿うスライド動作によって、前記ファインダ装置の前記レンズ成分の少なくとも一部に前記ズーミングのための移動を生じさせるスライド式の円弧状湾曲カム板と、前記鏡筒と連動して前記円弧状湾曲カム板を駆動する駆動源と、前記ファインダ光学系を収容保持し且つ前記円弧状湾曲カム板を円弧に沿ってスライド移動可能に支持案内するファインダ枠とを備えるとともに、前記ファインダ枠と前記鏡筒に沿う前記円弧状湾曲カム板とで、前記ファインダ光学系をほぼ密閉状態として構成することにより、特に、ファインダにおける結像面およびその近傍をほぼ密閉し、塵埃等の侵入を効果的に抑制して、ファインダ画質を向上することができる。
【００２０】
また、本発明の請求項２のファインダ装置によれば、請求項１のファインダ装置において、前記円弧状湾曲カム板の円弧の中心と前記鏡筒の光軸がほぼ同一であることにより、特に、結像面およびその近傍をほぼ密閉する構成におけるスペース効率を向上させることが可能となる。
本発明の請求項３のファインダ装置によれば、請求項１または請求項２のファインダ装置において、前記円弧状湾曲カム板に形成されているカムが、有底溝状カムであることにより、特に、カム板を用いてほぼ密閉状態を達成することが可能となる。
本発明の請求項４のファインダ装置によれば、請求項１〜請求項３のいずれか１項のファインダ装置において、前記円弧状湾曲カム板が、撮像可能状態でのみ前記鏡筒と連動することにより、特に、カム板の移動量を小さくして、スペース効率を一層向上することが可能となる。
本発明の請求項５のファインダ装置によれば、請求項１〜請求項４のいずれか１項のファインダ装置において、前記円弧状湾曲カム板を前記鏡筒の光軸周りの方向に付勢する付勢部材をさらに有することにより、特に、撮影可能状態でのズーミングに円滑に追従させることが可能となる。
本発明の請求項６のファインダ装置によれば、請求項５のファインダ装置において、前記付勢部材が、前記円弧状湾曲カム板を短焦点側に付勢する部材であることにより、特に、撮影レンズ系の鏡筒の、例えば短焦点位置から収納位置までの間などの撮影不能状態における鏡胴の動作中に、カム板を不作動とすることが可能となる。
【００２１】
本発明の請求項７のファインダ装置によれば、請求項５または請求項６のファインダ装置において、前記円弧状湾曲カム板が、前記鏡筒と係合して連動し、且つ前記円弧状湾曲カム板の前記鏡筒との係合部から遠い側の端縁近傍に前記付勢部材が取着されていることにより、特に、カム板の作動をより一層円滑にすることが可能となる。
本発明の請求項８のファインダ装置によれば、請求項１〜請求項７のいずれか１項のファインダ装置において、前記ファインダ枠が、前記円弧状湾曲カム板と同軸の湾曲面と軸方向の前後少なくとも１対の係合部とで、前記円弧状湾曲カム板をスライド可能に支持していることにより、特に、カム板の支持部を少なくして、カム板およびそれを支持する部品の形状誤差によるカム板の動作不良を抑制することができる。
本発明の請求項９のファインダ装置によれば、請求項１〜請求項８のいずれか１項のファインダ装置において、前記ファインダ枠が、前記ファインダ光学系の前記円弧状湾曲カム板に面する側をほぼ覆う蓋部材を含むことにより、特に、ファインダ枠を開口部を持つ枠体とその開口部をほぼ覆う蓋部材とで構成することによって、部品の成形および組み付けをさらに容易にすることが可能となる。
本発明の請求項１０のファインダ装置によれば、請求項９のファインダ装置において、前記ファインダ枠の前記蓋部材から遠い側の側部に、前記ファインダ光学系の前記移動するレンズ成分の回転規制部が設けられていることにより、特に、ファインダ枠の開口部の反対側に回転規制部を配置することによって、組み立てを一層容易にすることが可能となる。
【００２２】
本発明の請求項１１のファインダ装置によれば、請求項１〜請求項１０のいずれか１項のファインダ装置において、前記ファインダ枠および前記蓋部材の少なくとも一方に、前記円弧状湾曲カム板のカム面に付着した無用物を排除するための部材が設けられていることにより、特に、ほぼ密閉構造内への塵埃等を侵入部近傍にて効果的に排除し、侵入を抑制することが可能となる。
本発明の請求項１２のファインダ装置によれば、請求項１〜請求項１１のいずれか１項のファインダ装置において、前記複数のレンズ成分を含むファインダ光学系の結像面が、正立プリズムの射出面上、入射面上、射出面の近傍および入射面の近傍のうちのいずれかに設定されていることにより、特に、ファインダ像の結像面に対する視野枠の保持またはＡＦターゲットマーク等のマークの形成等を容易にすることができる。
本発明の請求項１３のファインダ装置によれば、請求項１２のファインダ装置において、前記正立プリズムの射出面上および入射面上のいずれかに導電材料からなる視野枠が設けられていることにより、特に、正立プリズムに帯電する静電気を視野枠で吸収させ、該プリズムの射出面または入射面に塵埃等が付着することを効果的に防止することが可能となる。
【００２３】
本発明の請求項１４のファインダ装置によれば、請求項１３のファインダ装置において、前記視野枠には、前記ファインダ枠に設けられた導電体の一端が圧接されており、該導電体の他端が、共通電位に接続されていることにより、特に、視野枠に溜まった静電気を共通電位に逃がし、正立プリズムの静電気を半永久的に除去し、該プリズムへ塵埃等が付着することを一層効果的に防止することが可能となる。
さらに、本発明の請求項１５のズームレンズ鏡筒によれば、ズーミング機能を有する撮像レンズ系を保持収容し、且つ当該撮像レンズ系の撮像視野を確認するために請求項１〜請求項１４のいずれか１項のファインダ装置を具備することにより、特に、ズーミング機能を有する撮像レンズ系を保持収容し、且つ当該撮像レンズ系の撮像視野を確認するためのファインダにおける結像面およびその近傍への塵埃等の侵入を効果的に抑制して、ファインダ結像面における画質の劣化を防止することがが可能となる。
また、本発明の請求項１６のカメラによれば、被写体を撮影するために、撮像レンズ系を含む請求項１５のズームレンズ鏡筒を具備することにより、特に、ズーミング機能を有する撮像レンズ系の撮像視野を確認するためのファインダにおける結像面およびその近傍への塵埃等の侵入を効果的に抑制して、ファインダ結像面における画質の劣化を防止することが可能となる。
【発明を実施するための最良の形態】
【００２４】
以下、本発明に係る実施の形態に基づき、図面を参照して本発明のファインダ装置を詳細に説明する。
図１〜図６は、本発明の一つの実施の形態に係るファインダ装置の構成を示しており、カメラに撮影レンズ系として適用されるズームレンズ鏡筒に組み込まれたファインダ装置を示している。図１は、ズームレンズ鏡筒の全体の外観を示す斜視図であり、図２は、ファインダ装置を一部を切欠して示す斜視図、図３は、ファインダ装置のファインダ光学系の横断面を示す断面図、図４は、ファインダ装置部分の平面図、図５は、ファインダ装置を説明するための部分詳細図、そして図６は、ファインダ装置部分を斜め下方から見た斜視図である。
図１〜図６に示すファインダ装置は、レンズ成分Ｌ１、Ｌ２、Ｌ３、Ｌ４およびＬ５、ポロプリズム１１、視野枠１２、導電体１３、ファインダ枠１４、ファインダ下蓋１５、円弧状湾曲カム板１６、シート材１７および付勢部材１８を有して構成し、図には、さらに、撮影レンズ系の鏡筒ＬＢおよびそのカムギヤＣＧも示されている。レンズＬ１〜Ｌ５、ポロプリズム１１および視野枠１２は、ファインダ光学系を構成し、レンズ成分Ｌ１〜Ｌ５のうちのレンズ成分Ｌ１は、対物レンズであり、レンズ成分Ｌ５は、接眼レンズであって、レンズ成分Ｌ２、Ｌ３およびＬ４を、鏡筒ＬＢのズーミング動作に連動して、鏡筒ＬＢの光軸方向とほぼ平行な方向に沿って前後に移動させてズーミングを行う。
【００２５】
図１は、撮影レンズ系の鏡筒ＬＢを収納状態としたときのファインダ装置と鏡筒ＬＢとの位置関係を示している。円弧状湾曲カム板１６は、鏡筒ＬＢの外周部に沿って円弧状に湾曲し且つ鏡筒ＬＢの外周部に沿ってスライド移動可能として設けられている。円弧状湾曲カム板１６は、円周方向の一端部に結合された引張りばね等の付勢部材１８によって、鏡筒ＬＢの正面から見て時計回り方向に付勢されており、円弧状湾曲カム板１６の円周方向の他端部の両側面から側方（円弧状湾曲面の軸線に平行な方向）に突設された係合部１６ａおよび１６ｂ（図６参照）が、蓋部材としてのファインダ下蓋１５の両側縁部（鏡筒ＬＢの前端側および後端側）に湾曲の内方、つまり鏡筒ＬＢの軸線に向かう方向、に向けて突設されたストッパ部１５ａおよび１５ｂ（図６参照）で係止されている。このような収納状態から撮影可能状態へ移行するとき、鏡筒ＬＢの外周部に形成され且つズーミングに伴って回動するカムギヤＣＧは、正面から見て反時計回りに回動する。カムギヤＣＧ上には突起ＣＧａおよびＣＧｂが突設されており、カムギヤＣＧが半時計回りに回転し、撮影可能状態に達したときに、突起ＣＧａおよびＣＧｂが、円弧状湾曲カム板１６の係合部１６ａおよび１６ｂに係合する。なお、収納状態から撮影可能状態に移行する間は、円弧状湾曲カム板１６は収納状態の位置に停止したままである。
【００２６】
撮影可能状態に達した直後は、撮影レンズ系は短焦点側の端部に位置するが、ズーム操作をすると、カムギヤＣＧがさらに反時計回りに回動され、鏡筒ＬＢは、漸次長焦点側に移行する。それに伴ってカムギヤＣＧの突起ＣＧａおよびＣＧｂは、円弧状湾曲カム板１６をさらに反時計回りに回動スライドさせて、ファインダ光学系をズーミングさせ、長焦点側に移行する。その間、付勢部材１８は、図示の場合ばね力に抗して伸張されて、チャージされる。逆に長焦点側から短焦点側へ移行するときは、カムギヤＣＧは、時計回りに回動され、カムギヤＣＧ上の突起ＣＧａおよびＣＧｂは、円弧状湾曲カム板１６への作用力をなくすが、付勢部材１８のチャージ力により円弧状湾曲カム板１６はカムギヤＣＧに追従して時計回りに回転し、ファインダを長焦点側から短焦点側へズーミングさせる。短焦点状態から収納状態へ移行するときは、カムギヤＣＧはさらに時計回りに回転するが、円弧状湾曲カム板１６は、係合部１６ａおよび１６ｂが、ファインダ下蓋１５のストッパ部１５ａおよび１５ｂに係合して、この位置に保持される。
【００２７】
図２は、ファインダ装置の詳細な構成状態を、ファインダ枠１４とファインダ下蓋１５の一部を切欠し且つ図１において上面を覆っていたシート材１７を取り外した状態として示している。図２においては、ファインダ枠１４の内部に、対物レンズ成分Ｌ１、レンズ成分Ｌ２〜Ｌ４、ポロプリズム１１、視野枠１２および接眼レンズ成分Ｌ５が設けられ、さらにそれらに関連して導電体１３、ファインダ下蓋１５および円弧状湾曲カム板１６が配置されている状態が示されている。鏡筒ＬＢの撮影可能状態において、短焦点側から長焦点側に移行するとき、円弧状湾曲カム板１６は反時計回りに回転し、円弧状湾曲カム板１６の円弧の外側の面上に形成されている有底溝状のカム溝１６ｃ〜１６ｅが、それぞれに係合するレンズ成分Ｌ２〜Ｌ４のカムフォロアＣＦ（図３参照）を動かし、レンズ成分Ｌ２〜Ｌ４を光軸方向に沿って移動させ、ズーミングする。長焦点側から短焦点側に移行するときは、上述とは逆の動作でズーミングする。
【００２８】
図３は、ファインダ装置のファインダ光学系の断面を示しており、ファインダ枠１４、ファインダ下蓋１５および円弧状湾曲カム板１６でファインダ装置のファインダ光学系をほぼ密閉している様子を示している。このファインダ光学系の各レンズ成分Ｌ１〜Ｌ５等の組み付けに際して、各レンズ成分Ｌ１〜Ｌ５は、図３における下側から組み付けられ、支持軸２０および２１とファインダ枠１４の回転止め１４ａおよび１４ｂとによって、光軸方向以外の方向の動作は規制されている。また、各レンズ成分Ｌ２〜Ｌ４には、付勢部材２２および２３が結合され、それぞれ所定の一方向に付勢されている。ここで、付勢部材２３は、レンズ成分Ｌ２とレンズ成分Ｌ３との間に配設されており、レンズ成分Ｌ２とレンズ成分Ｌ３とを相反する方向へ付勢している。また、ファインダ枠１４およびファインダ下蓋１５の少なくとも一方、例えばファインダ枠１４、には、塵埃等の無用物を排除するための部材としての排除部材２４が設けられており、排除部材２４は、有底のカム溝１６ｃ〜１６ｅの奥底部まで達するが、非常に軟らかい材質で形成されているため、円弧状湾曲カム板１６の回転には影響を与えることなく、絶えずカム溝１６ｃ〜１６ｅの底部に付着した無用物を排除する。
【００２９】
図４は、ファインダ装置を上から見た図であり、導電体１３がファインダ枠１４に取り付けられている状態を示している。導電体１３は、一端が共通電位、すなわちグラウンド、に接続され、他端が、開口部１４ｃを通して、金属等の導電材料製の視野枠１２に当接されまたは半田付けされるなどして結合されている。なお、ファインダ装置の組み付け完成後は、導電体１３の挿入部を含むファインダ枠１４の上面の所定部分１４ｄが、その全範囲を覆うシート材１７によって覆われて、上部に開口している回転止め部１４ａおよび１４ｂ、ならびに開口部１４ｃの各開口は、全て閉塞され、ファインダ装置のファインダ光学系部分は、ほぼ密閉される。なお、図５は、導電体１３の端部１３ａが、ポロプリズム１１に密接して設けられた導電性材料からなる視野枠１２に当接されている状態を示している。また、図６は、ファインダ装置を斜め下から見た状態を示しており、円弧状湾曲カム板１６が、ファインダ下蓋１５から突出するストッパ部１５ａおよび１５ｂによって、円周方向に回動スライド可能に支持されている状態を示している。さらに、ＡＦターゲットマーク等のマークは、例えばポロプリズム１１の視野枠１２が配置された面上に形成すればよい。
このように、本発明に係る上述したファインダ装置は、複数のレンズ成分Ｌ１〜Ｌ５を含むファインダ光学系を内包し且つ円弧状湾曲カム板１６をスライド可能に支持するファインダ枠１４を設けており、撮影レンズ系の鏡筒ＬＢの外周部に沿わせた円弧状湾曲カム板１６とファインダ枠１４とで、結像面およびその近傍のレンズ部分を、ユニット組み段階でほぼ密閉し、塵埃等の侵入を阻むことができる（請求項１に対応）。
【００３０】
また、上述したファインダ装置は、円弧状湾曲カム板１６の湾曲円弧の中心を撮影レンズ系の鏡筒ＬＢの光軸にほぼ一致させており、結像面およびその近傍をほぼ密閉する構成における占有スペースを最小限とすることができ、スペース効率を向上させることができる（請求項２に対応）。
上述したファインダ装置は、円弧状湾曲カム板１６に形成されているカムを有底カムとしており、円弧状湾曲カム板１６のカム部を開口させることがなくなり、この円弧状湾曲カム板とファインダ枠とによる結像面およびその近傍のレンズ部分を容易にほぼ密閉状態に保つことができる（請求項３に対応）。
上述したファインダ装置は、円弧状湾曲カム板１６を撮影可能状態でのみ撮影レンズ系の鏡筒ＬＢと連動させることにより、円弧状湾曲カム板１６の光軸周りの動作回転角、すなわち動作ストロークを小さくし、スペース効率を一層向上させることができる（請求項４に対応）。
上述したファインダ装置は、円弧状湾曲カム板１６を鏡筒ＬＢの光軸周りの方向に付勢する付勢部材１８を設けており、撮影可能状態でのズーミングに円滑に追従させることができる（請求項５に対応）。
【００３１】
上述したファインダ装置は、円弧状湾曲カム板１６を付勢部材１８により短焦点側に付勢するようにしており、撮影レンズ系の鏡筒ＬＢの撮影不能状態、例えば短焦点位置から収納位置までの間、において鏡筒ＬＢが動作している間でも円弧状湾曲カム板１６の動作を停止させることができる（請求項６に対応）。
上述したファインダ装置は、円弧状湾曲カム板１６と撮影レンズ系の鏡筒ＬＢとの連係動作のための係合部１６ａおよび１６ｂを、円弧状湾曲カム板１６における付勢部材１８の取り付け位置から遠い側に配置しており、円弧状湾曲カム板１６の光軸周りの回転作動を一層スムーズに行わせることができる（請求項７に対応）。
上述したファインダ装置は、円弧状湾曲カム板１６と同軸の湾曲面と軸方向の前後少なくとも１対の係合部としてのストッパ部１５ａおよび１５ｂで、円弧状湾曲カム板１６をファインダ枠１４にスライド可能に支持させており、円弧状湾曲カム板１６の支持部を少なくして、ファインダ枠１４と円弧状湾曲カム板１６の部品の形状誤差によるスライド不良の発生を低減することができる（請求項８に対応）。
上述したファインダ装置は、ファインダ枠が、ファインダ光学系の円弧状湾曲カム板１６に面する側をほぼ覆う蓋部材としてのファインダ下蓋１５を含んでおり、ファインダ下蓋１５によってほぼ閉塞される開口部をファインダ枠１４に形成することができ、部品の成形および組み付けを一層容易にすることができる（請求項９に対応）。
【００３２】
上述したファインダ装置は、ファインダ枠１４のファインダ下蓋１５から遠い側の側部に、ファインダ光学系のレンズ成分Ｌ２〜Ｌ４の回転規制部としての回転止め部１４ａおよび１４ｂを設けており、回転止め部１４ａおよび１４ｂとファインダ下蓋１５およびその近傍の構成との干渉が防止され、組み立てを容易にすることができる（請求項１０に対応）。
上述したファインダ装置は、円弧状湾曲カム板１６がスライド動作するために全面を完全に密閉することができずに、一部外面に露出する部分があるため、ファインダ枠１４およびファインダ下蓋１５の少なくとも一方に、円弧状湾曲カム板１６のカム溝１６ｃ、１６ｄおよび１６ｅのカム面に付着する無用物を排除するための排除部材２４を設けており、スライド動作による移動の直前に、外面から塵埃等の無用物を排除し、該無用物のほぼ密閉構造内への侵入を防止することができる（請求項１１に対応）。
上述したファインダ装置は、ファインダの結像面を正立プリズムであるポロプリズム１１の射出面または入射面またはそれらの近傍に設定しており、視野枠１２の保持およびＡＦターゲットマーク等のマークの形成等を容易にすることができる（請求項１２に対応）。
【００３３】
上述したファインダ装置は、ポロプリズム１１の射出面または入射面上に金属等の導電材料からなる視野枠１２を設けており、ポロプリズム１１上に帯電する静電気を視野枠１２で吸収させて、ポロプリズム１１の射出面または入射面上に静電気により塵埃等が付着することを防止している（請求項１３に対応）。
上述したファインダ装置は、ファインダ枠１４に取り付けられた導電体１３の一端１３ａが導電材料からなる視野枠１２に圧接され、導電体１３の他端が、共通電位に接続されており、視野枠１２に溜まった静電気を共通電位に逃がすことにより半永久的に正立プリズム上の静電気を除去することができ、静電気によって塵埃等が付着するのを防止することができる（請求項１４に対応）。
本発明に係るズームレンズ鏡筒は、ズーミング機能を有する撮像レンズ系を保持収容し、且つ当該撮像レンズ系の撮像視野を確認するために上述したファインダ装置を設けており、ズーミング機能を有する撮像レンズ系を保持収容するズームレンズ鏡筒ＬＢの撮像視野を確認するためのファインダにおける結像面およびその近傍への塵埃等の侵入を効果的に抑制し、ファインダ結像面における画質の劣化を防止することができる（請求項１５に対応）。
そして、本発明に係るカメラは、被写体を撮影するために、撮像レンズ系を含み上述したファインダ装置を備えたズームレンズ鏡筒用いており、撮像レンズ系の撮像視野を確認するためのファインダにおける結像面およびその近傍への塵埃等の侵入を効果的に抑制して、ファインダ結像面における画質の劣化を防止することができる（請求項１６に対応）。
【図面の簡単な説明】
【００３４】
【図１】本発明の一つの実施の形態に係るファインダ装置がカメラに撮影レンズ系として適用されるズームレンズ鏡筒に組み込まれたズームレンズ鏡筒の全体の外観を示す斜視図である。
【図２】図１のファインダ装置を一部を切欠して示す斜視図である。
【図３】図１のファインダ装置のファインダ光学系の横断面を示す断面図である。
【図４】図１のファインダ装置部分の平面図である。
【図５】図１のファインダ装置を説明するための部分詳細図である。
【図６】図１のファインダ装置部分を斜め下方から見た斜視図である。
【符号の説明】
【００３５】
１１  ポロプリズム
１２  視野枠
１３  導電体
１４  ファインダ枠
１５  ファインダ下蓋
１６  円弧状湾曲カム板
１７  シート材
１８  付勢部材
２０，２１  支持軸
２２，２３  付勢部材
２４  排除部材
Ｌ１  対物レンズ成分
Ｌ２〜Ｌ４  レンズ成分（対物レンズ）
Ｌ５  接眼レンズ成分
ＬＢ  撮影レンズ系の鏡筒
ＣＧ  カムギヤ
【図１】
2005084392.tif 000003
【図２】
2005084392.tif 000004
【図３】
2005084392.tif 000005
【図４】
2005084392.tif 000006
【図５】
2005084392.tif 000007
【図６】
2005084392.tif 000008